(57)【特許請求の範囲】
【請求項１】
１つ又は複数の照明装置と、前記照明装置に対して電波を媒体とする無線信号を送信して前記照明装置を制御する制御装置とを有し、
前記照明装置は、光源と、前記光源を点灯する点灯回路部と、前記無線信号を受信して前記無線信号に含まれる指令を取得する無線受信部と、前記無線受信部が取得する前記指令に応じて前記光源を点滅するように前記点灯回路部を制御する第１制御部と、周囲の環境の変化を検知したときに検知信号を出力する検知部とを備え、
前記無線受信部は、前記第１制御部が複数の周波数チャネルのなかから選択した１つの周波数チャネルの無線信号を受信するように構成され、
前記制御装置は、前記指令を生成する第２制御部と、前記指令を含み、かつ、前記第２制御部が選択した前記１つの周波数チャネルの無線信号を送信する無線送信部とを備え、
前記第２制御部は、所定の条件が満たされた場合に、選択可能な前記複数の周波数チャネルのなかから１つの周波数チャネルを選択し、前記１つの周波数チャネルで前記無線送信部に前記無線信号を送信させ、
前記第１制御部は、前記検知部が前記検知信号を出力した場合に周波数チャネル変更動作を行い、前記周波数チャネル変更動作の終了後に前記周波数チャネル変更動作によって変更した前記１つの周波数チャネルで前記無線受信部に無線信号を受信させ、
前記周波数チャネル変更動作を行っているときの前記第１制御部は、選択可能な前記複数の周波数チャネルのなかから順番に選択した周波数チャネルで前記無線受信部に前記無線信号を受信させ、前記無線受信部が前記無線信号の受信に成功したときに選択している前記周波数チャネルを前記１つの周波数チャネルとして選択することを特徴とする照明制御システム。
【請求項２】
前記検知部は、レーザ光を受光する受光素子を有し、前記受光素子が所定の強度以上の前記レーザ光を受光したときに前記検知信号を出力することを特徴とする請求項１記載の照明制御システム。
【請求項３】
前記検知部は、所定の検知領域において人の存在を検知したときに前記検知信号を出力することを特徴とする請求項１記載の照明制御システム。
【請求項４】
前記検知部は、前記点灯回路部に電力を供給するための給電路に印加される電圧の変化を検知し、前記電圧の変化が所定の条件を満たした場合に前記検知信号を出力することを特徴とする請求項１記載の照明制御システム。
【発明の詳細な説明】
【技術分野】
【０００１】
本発明は、照明制御システムに関し、より詳細には、電波を媒体とする無線通信によって照明装置を遠隔制御する照明制御システムに関する。
【背景技術】
【０００２】
従来、電波を媒体とする無線通信によって照明装置を遠隔制御する照明制御システムがあった。例えば、特許文献１には、天井埋込型の照明器具（ダウンライト）からなる複数の照明装置と、これら複数の照明装置を制御する制御装置（ライトコントローラ）とを有する照明制御システムが記載されている。
【０００３】
特許文献１記載の制御装置は、日本の電波法に規定されている特定小電力無線局の電波（例えば、９２０ＭＨｚ帯の電波）を用いて、各照明装置の点滅や調光などを行うための制御コマンドを含む無線信号を送信する。各照明装置は、制御装置から送信される無線信号を受信し、当該無線信号に含まれる制御コマンドに応じて点灯・消灯及び調光などを行う。
【先行技術文献】
【特許文献】
【０００４】
【特許文献１】特開２０１６−５８３６９号公報（特に、［００３２］−［００３４］及び図６参照）
【発明の概要】
【発明が解決しようとする課題】
【０００５】
ところで、特定小電力無線局の無線通信は、複数の周波数チャネルのなかから１つの周波数チャネルを選択して行われる。つまり、送信局（制御装置）と受信局（照明装置）のそれぞれは、同一の周波数チャネルを選択していなければならない。しかしながら、無線通信の状況の変化（新たな無線通信局の設置など）により、照明制御システムの運用開始後に周波数チャネルの変更が必要になる場合がある。ところが、照明装置が体育館やホールの天井などの高所に設置されていると、照明装置の周波数チャネルを変更する作業が容易ではなかった。
【０００６】
本発明の目的は、無線通信で使用する周波数チャネルの変更作業の容易化を図ることができる照明制御システムを提供することである。
【課題を解決するための手段】
【０００７】
本発明の一態様に係る照明制御システムは、１つ又は複数の照明装置と、前記照明装置に対して電波を媒体とする無線信号を送信して前記照明装置を制御する制御装置とを有している。前記照明装置は、光源と、前記光源を点灯する点灯回路部と、前記無線信号を受信して前記無線信号に含まれる指令を取得する無線受信部とを備えている。前記照明装置は、前記無線受信部が取得する前記指令に応じて前記光源を点滅するように前記点灯回路部を制御する第１制御部と、周囲の環境の変化を検知したときに検知信号を出力する検知部とを備えている。前記無線受信部は、前記第１制御部が複数の周波数チャネルのなかから選択した１つの周波数チャネルの無線信号を受信するように構成されている。前記制御装置は、前記指令を生成する第２制御部と、前記指令を含み、かつ、前記第２制御部が選択した前記１つの周波数チャネルの無線信号を送信する無線送信部とを備えている。前記第２制御部は、所定の条件が満たされた場合に、選択可能な前記複数の周波数チャネルのなかから１つの周波数チャネルを選択し、前記１つの周波数チャネルで前記無線送信部に前記無線信号を送信させる。前記第１制御部は、前記検知部が前記検知信号を出力した場合に周波数チャネル変更動作を行い、前記周波数チャネル変更動作の終了後に前記周波数チャネル変更動作によって変更した前記１つの周波数チャネルで前記無線受信部に無線信号を受信させる。前記周波数チャネル変更動作を行っているときの前記第１制御部は、選択可能な前記複数の周波数チャネルのなかから順番に選択した周波数チャネルで前記無線受信部に前記無線信号を受信させる。前記周波数チャネル変更動作を行っているときの前記第１制御部は、前記無線受信部が前記無線信号の受信に成功したときに選択している前記周波数チャネルを前記１つの周波数チャネルとして選択する。
【発明の効果】
【０００８】
本発明の照明制御システムは、無線通信で使用する周波数チャネルの変更作業の容易化を図ることができるという効果がある。
【図面の簡単な説明】
【０００９】
【図１】図１は、本発明の一実施形態に係る照明制御システムのシステム構成図である。
【図２】図２は、同上の照明制御システムにおける照明装置の斜視図である。
【図３】図３は、同上の照明制御システムにおける制御装置の外観図である。
【図４】図４は、同上の照明制御システムにおける周波数チャネルの変更時の動作を説明するためのタイムチャートである。
【図５】図５は、同上の照明制御システムにおける制御装置の変形例のブロック図である。
【発明を実施するための形態】
【００１０】
以下、本発明に係る照明制御システムの実施形態について、図面を参照して詳細に説明する。ただし、以下の実施形態で説明する構成は本発明の一例にすぎない。本発明は、以下の実施形態に限定されず、本発明の効果を奏することができれば、設計等に応じて種々の変更が可能である。
【００１１】
本実施形態の照明制御システム（以下、照明制御システムと略す）６は、図１に示すように、照明装置１と、制御装置２とを有している。照明装置１は、１つ（１台）でもよいし、複数（複数台）でもよい。複数の照明装置１は、一対の電源線４によって交流電源３に電気的に接続されている。ただし、交流電源３から各照明装置１への給電路となる電源線４は、スイッチ５によって断路可能である。スイッチ５は、操作部５０が操作される毎に給電路を断路する状態（オフ状態）と、給電路を断路しない状態（オン状態）とに切り替えるように構成されている。そして、スイッチ５がオン状態のときに各照明装置１が点灯状態（あるいは点灯可能な状態）となり、スイッチ５がオフ状態のときに各照明装置１が消灯状態となる。ただし、照明制御システム６においてスイッチ５は必須ではない。
【００１２】
複数の照明装置１は全て同一の構成を有している。したがって、図１では１つの照明装置１についてだけ、回路ブロックを図示している。照明装置１は、光源１０、点灯回路部１１、無線受信部１２、第１制御部１３、検知部１４を備えている。照明装置１は、さらに第１記憶部１５を備えている。光源１０は、複数のパッケージ型の発光ダイオード（ＬＥＤ）が基板に実装されたＬＥＤモジュールである。あるいは、光源１０は、基板と、基板に複数のＬＥＤチップが実装されたＣＯＢ（Chip On Board）型のＬＥＤモジュールでもよい。
【００１３】
点灯回路部１１は、電源線４を介して交流電源３から供給される交流電力を直流電力に変換し、変換後の直流電力を光源１０に供給して光源１０を点灯する。このような点灯回路部１１は、例えば、全波整流器、力率改善回路（昇圧チョッパ回路）、降圧チョッパ回路などで構成されている。点灯回路部１１は、第１制御部１３からの指示に応じて、降圧チョッパ回路を停止して光源１０を消灯したり、降圧チョッパ回路から出力する直流電流を増減して光源１０を調光することも可能である。ただし、このような点灯回路部１１は従来周知であるから、詳細な回路構成の図示並びに説明は省略する。
【００１４】
無線受信部１２は、アンテナで受信する電波（無線信号）から元の信号を復調し、復調した信号に含まれる指令（コマンド）やアドレスなどの情報（データ）を取得して第１制御部１３に出力するように構成されている。無線受信部１２が受信する電波は、日本の電波法に規定されている特定小電力無線局の電波（例えば、９２０ＭＨｚ帯の電波）である。ただし、無線受信部１２は、複数（例えば、１０個）の周波数チャネルのなかから１つの周波数チャネルを選択し、選択した周波数チャネルの電波のみを受信する。無線受信部１２における周波数チャネルの選択は、第１制御部１３によって行われる。このような無線受信部１２は、例えば、集積回路からなる無線モジュールあるいはＲＦ（Radio Frequency）レシーバなどで実現可能であるから、詳細な構成の図示並びに説明は省略する。
【００１５】
第１制御部１３は、マイクロコントローラからなるハードウェアと、マイクロコントローラで実行されるソフトウェアとで構成されている。このソフトウェアは、通常動作用の第１プログラムと、周波数チャネル変更動作用の第２プログラムとを含んでいる。なお、以下の説明では、マイクロコントローラが第１プログラムを実行しているときの第１制御部１３の動作を通常動作と呼び、マイクロコントローラが第２プログラムを実行しているときの第１制御部１３の動作を周波数チャネル変更動作と呼ぶ。第１制御部１３は、通常動作及び周波数チャネル変更動作のそれぞれにおいて使用する種々のデータを第１記憶部１５に記憶している。第１記憶部１５は、フラッシュメモリやＥＥＰＲＯＭなどの電気的に書換可能な不揮発性の半導体メモリで構成されている。第１記憶部１５は、例えば、後述するようにペアリングされた制御装置２の識別情報（ＩＤデータ）や、選択可能な周波数チャネルの情報（チャネル番号）などを記憶している。
【００１６】
検知部１４は、レーザ光を受光してレーザ光の強度に応じた電気信号を出力する受光素子１４０を有している。受光素子１４０は、フォトダイオードやフォトトランジスタ、太陽電池などの光電変換素子である。なお、受光素子１４０は、市販のレーザ製品、例えば、日本工業規格「レーザ製品の放射安全基準」ＪＩＳ  Ｃ  ６８０２に規定されたクラス２のレーザ製品であるレーザポインタ７のレーザ光の波長に十分な感度を有するように構成される。検知部１４は、受光素子１４０から出力される電気信号のレベル（受光レベル）を所定のしきい値と比較し、受光レベルがしきい値を超えた場合に第１制御部１３に検知信号を出力する。レーザポインタ７は、半導体レーザを有している。レーザポインタ７は、操作ボタン７０が押操作されている間に半導体レーザを発振させてコヒーレントな光（レーザ光）を放射するように構成されている。なお、このようなレーザポインタ７は、従来周知であるから詳細な構成の説明及び図示は省略する。
【００１７】
照明装置１は、例えば、図２に示すように、体育館やホールの天井に設置されて体育館の床やホールの客席などを高所から照明する、いわゆる高天井用の照明器具である。照明装置１は、ＬＥＤユニット１６、電源ユニット１７、器具本体１８及びアーム１９を備えている。ＬＥＤユニット１６は、光源１０、光源１０を保護するカバー１６０、光源１０が発する熱を放熱するための放熱部材１６１などを有している。電源ユニット１７は、点灯回路部１１、無線受信部１２、第１制御部１３、検知部１４、第１記憶部１５を金属製のケース１７０に収容して構成されている。ただし、無線受信部１２のアンテナは、ケース１７０の外に配置されることが好ましい。器具本体１８は、金属材料によって矩形の枠状に形成され、カバー１６０を下にしてＬＥＤユニット１６を支持している。また、器具本体１８は、ＬＥＤユニット１６の上方において電源ユニット１７を支持している。ただし、器具本体１８の下面に、検知部１４の受光素子１４０が配置されることが好ましい。アーム１９は、金属材料によってＵ字型に形成されている。アーム１９は、長手方向の両端で器具本体１８に回転可能に取り付けられている。照明装置１は、例えば、体育館の天井の梁にアーム１９をボルトで締め付けて固定するようにして設置される。
【００１８】
次に、制御装置２を説明する。制御装置２は、図１に示すように、無線送信部２０と、第２制御部２１とを備えている。また、制御装置２は、第２記憶部２２と、操作入力部２３と、表示部２４と、電源部２５とを備えることが好ましい。無線送信部２０は、第２制御部２１から与えられる指令（コマンド）や識別情報（ＩＤデータ）を含む送信フレームを変調し、変調後の送信フレームをアンテナから無線信号として送信するように構成されている。
【００１９】
無線送信部２０が送信する電波は、無線受信部１２が受信する電波と同じく特定小電力無線局の電波（例えば、９２０ＭＨｚ帯の電波）である。ただし、無線送信部２０は、複数（例えば、１０個）の周波数チャネルのなかから１つの周波数チャネルを選択し、選択した周波数チャネルの電波を送信する。無線送信部２０における周波数チャネルの選択は、第２制御部２１によって行われる。このような無線送信部２０は、例えば、無線受信部１２と同様に、集積回路からなる無線モジュールあるいはＲＦレシーバなどで実現可能であるから、詳細な構成の図示並びに説明は省略する。
【００２０】
操作入力部２３は、押釦スイッチやタッチセンサなどの入力デバイスを有している。操作入力部２３は、押釦スイッチやタッチセンサで操作入力を受け付けると、受け付けた操作入力に対応した操作信号を第２制御部２１に出力する。表示部２４は、発光ダイオードや液晶ディスプレイなどの表示デバイスを有している。表示部２４は、第２制御部２１に駆動されることで種々の情報、例えば、第２制御部２１の動作モードなどを表示するように構成されている。第２記憶部２２は、第１記憶部１５と同じく、フラッシュメモリやＥＥＰＲＯＭなどの電気的に書換可能な不揮発性の半導体メモリで構成されている。第２記憶部２２は、例えば、自己の識別情報（ＩＤデータ）や、選択可能な周波数チャネルの情報（チャネル番号）などを記憶している。
【００２１】
第２制御部２１は、マイクロコントローラからなるハードウェアと、マイクロコントローラで実行されるソフトウェアとで構成されている。このソフトウェアは、通常動作用の第１プログラムと、周波数チャネル変更動作用の第２プログラムとを含んでいる。なお、以下の説明では、マイクロコントローラが第１プログラムを実行しているときの第２制御部２１の動作を通常動作と呼び、マイクロコントローラが第２プログラムを実行しているときの第２制御部２１の動作を周波数チャネル変更動作と呼ぶ。第２制御部２１は、通常動作及び周波数チャネル変更動作のそれぞれにおいて使用する種々のデータ（ＩＤデータやチャネル番号など）を第２記憶部２２に記憶している。また、第２制御部２１は、操作入力部２３から受け取る操作入力等に応じた指令を含む送信フレームを生成して無線送信部２０に出力する。
【００２２】
電源部２５は、外部の電源（交流電源３）から供給される交流電力を直流電力に電力変換することで無線送信部２０、第２制御部２１などの各部の動作用電源を生成している。
【００２３】
制御装置２は、図３に示すように、合成樹脂製の筐体２６を有している。筐体２６は、扁平な矩形の箱状に形成されている。筐体２６は、無線送信部２０、第２制御部２１、第２記憶部２２、操作入力部２３、表示部２４、電源部２５を内部に収容している。筐体２６の下面から電源ケーブル２７が引き出されている。電源ケーブル２７の先端に電源プラグ２８が設けられている。電源部２５は、電源プラグ２８がコンセントに差し込み接続されることにより、電源プラグ２８及び電源ケーブル２７を介して交流電源３から給電される。筐体２６の前面に、第１操作部材２３０、第２操作部材２３１及び第３操作部材２３２が上下方向に並べて配置されている。第１操作部材２３０、第２操作部材２３１及び第３操作部材２３２はそれぞれ、筐体２６の前面に対して押操作可能に構成されている。そして、一番下に配置されている第１操作部材２３０が押操作されると、操作入力部２３が有する複数の押釦スイッチのうちで第１操作部材２３０に対応した押釦スイッチがオンされる。操作入力部２３は、第１操作部材２３０によって押釦スイッチがオンされると、照明装置１の状態（点灯状態と消灯状態）を切り替えるための操作信号（第１操作信号）を第２制御部２１へ出力する。また、一番上に配置されている第２操作部材２３１が押操作されると、操作入力部２３が有する複数の押釦スイッチのうちで第２操作部材２３１に対応した押釦スイッチがオンされる。操作入力部２３は、第２操作部材２３１によって押釦スイッチがオンされると、照明装置１の調光レベルを上げる（明るくする）ための操作信号（第２操作信号）を第２制御部２１へ出力する。さらに、中央に配置されている第３操作部材２３２が押操作されると、操作入力部２３が有する複数の押釦スイッチのうちで第３操作部材２３２に対応した押釦スイッチがオンされる。操作入力部２３は、第３操作部材２３２によって押釦スイッチがオンされると、照明装置１の調光レベルを下げる（暗くする）ための操作信号（第３操作信号）を第２制御部２１へ出力する。筐体２６の前面における第２操作部材２３１及び第３操作部材２３２の隣に、表示部２４の表示素子（発光ダイオード）が発する光を透過させるための窓２６０が設けられている。この窓２６０は、上下方向を長手方向とする矩形に形成されている。
【００２４】
制御装置２は、例えば、壁に設置される。制御装置２は、電源プラグ２８がコンセントに差し込み接続されている状態で動作し、電源プラグ２８がコンセントから抜かれることで停止する。ただし、制御装置２は、電源ケーブル２７からの給電路を開閉する電源スイッチを有しても構わない。
【００２５】
次に、照明制御システム６の動作を説明する。照明制御システム６は、制御装置２とペアリングされた１台又は複数台の照明装置１を遠隔制御することができる。制御装置２と照明装置１のペアリングは、制御装置２の識別符号と、無線信号の周波数チャネル（チャネル番号）とをそれぞれの照明装置１の第１記憶部１５に記憶させることで完了する。
【００２６】
続いて、照明装置１及び制御装置２のペアリングが完了し、実際の運用が開始された後、周波数チャネルの変更を行う場合の動作について、図４のタイムチャートを参照して詳細に説明する。図４のタイムチャートにおいて、横軸は時間ｔである。また、図４のタイムチャートにおいて、最上段は、交流電源３から制御装置２への電源入力の状態を示し、上から２段目は、制御装置２の無線送信部２０による無線信号の送信状態を示している。さらに、図４のタイムチャートにおいて、上から３段目は、照明装置１の調光レベルを示し、下から２段目は、照明装置１の検知部１４の受光素子１４０の受光レベルを示し、最下段は、照明装置１の無線受信部１２による無線信号の受信状態を示している。
【００２７】
まず、時間ｔ＝ｔ１にコンセントから電源プラグ２８が引き抜かれ、所定時間（０．５［秒］〜２［秒］）後の時間ｔ＝ｔ２に電源プラグ２８が再度コンセントに差し込み接続されると、第２制御部２１は、通常動作から周波数チャネル変更動作に移行する。第２制御部２１は、周波数チャネル変更動作の実行中に操作入力部２３から第２操作信号及び第３操作信号の少なくともいずれか一方を受け取ると、周波数チャネルのチャネル番号を第２操作信号又は第３操作信号に応じて変更する。さらに、第２制御部２１は、無線送信部２０を制御して、調光レベルを１００％とする指令（全点灯コマンド）を含む無線信号を、変更後のチャネル番号の周波数チャネルで無線送信部２０に送信させる（時間ｔ＝ｔ３〜ｔ６）。例えば、周波数チャネルのチャネル番号の初期値が１番であり、変更後のチャネル番号が４番であった場合、第２制御部２１は、４番のチャネル番号に対応した周波数チャネルの無線信号を無線送信部２０に送信させる。ただし、第２制御部２１は、周波数チャネル変更動作の実行中、表示部２４に周波数チャネル変更動作の実行中であることを表示させることが好ましい。
【００２８】
一方、照明装置１は、スイッチ５がオフ状態からオン状態に切り替えられることによって、１００％の調光レベルで全点灯する（時間ｔ＝ｔ３）。そして、レーザポインタ７から放射されるレーザ光が照明装置１の検知部１４の受光素子１４０で受光されて受光レベルがしきい値を超えると（時間ｔ＝ｔ４）、検知部１４が第１制御部１３へ検知信号を出力する。第１制御部１３は、検知部１４から検知信号を受け取ると、周波数チャネル変更動作を実行する。周波数チャネル変更動作中の第１制御部１３は、調光レベルを下限値とするように点灯回路部１１を制御して光源１０を下限値の調光レベルで点灯させる。また、第１制御部１３は、チャネル番号を初期値の１番から昇順に変更させながら、無線受信部１２に無線信号を受信させる。無線受信部１２は、チャネル番号が４番に変更されると、制御装置２から送信されている無線信号を受信し、受信した無線信号に含まれている指令（全点灯の指令）を取得して第１制御部１３に出力する。第１制御部１３は、無線受信部１２から指令（全点灯の指令）を受け取ると、チャネル番号を４番に確定して第１記憶部１５に記憶し、かつ、調光レベルを１００％とするように点灯回路部１１を制御して光源１０を全点灯させる（時間ｔ＝ｔ５）。
【００２９】
第２制御部２１は、周波数チャネル変更動作の開始時点（時間ｔ＝ｔ３）から所定の実行期間（例えば、５分）が経過した時点（時間ｔ＝ｔ６）で周波数チャネル変更動作を終了し、変更後の４番のチャネル番号の周波数チャネルで通常動作を実行する。
【００３０】
ここで、周波数チャネルを変更する方法として、電波以外の通信媒体（例えば、赤外線）を利用した通信によって複数の照明装置１に周波数チャネルの変更を通知する方法が考えられる。しかしながら、このような方法では、照明装置１に複数種類の通信機能を搭載しなければならないため、照明装置１の製造に係る費用やメンテナンスに係る費用が増えてしまう。しかも、赤外線を通信媒体とする場合、高天井用の照明装置１においては、通信距離を確保するために、赤外線の出力レベルを高くしたり、赤外線の受光素子の感度を高める必要がある。ところが、赤外線の出力レベルを高くしたり、赤外線の受光素子の感度を高めると、隣接して設置されている複数の照明装置１が一緒に赤外線信号を受信してしまい、１つの照明装置１のみに赤外線を受信させることは困難である。
【００３１】
これに対して照明制御システム６は、照明装置１の検知部１４で周囲の環境の変化、例えば、受光素子１４０の受光レベルがしきい値を超えること、を検知したときに第１制御部１３が周波数チャネル変更動作を実行して周波数チャネルを変更することができる。そして、検知部１４は、少なくともレーザ光を受光する受光素子１４０と、受光素子１４０の出力をしきい値と比較する比較器（コンパレータ）とを有していればよい。したがって、電波以外の通信媒体を利用した通信を行うための構成を照明装置１に備える場合と比較して、照明装置１の製造に係る費用やメンテナンスに係る費用の増加を抑えることができる。
【００３２】
ここで、検知部１４は、パッシブ型もしくはアクティブ型の人感センサを有し、人感センサで人の存在を検知したときに検知信号を出力するように構成されてもよい。パッシブ型の人感センサは、例えば、集電素子によって人体から放射される熱線を検知するように構成される。アクティブ型の人感センサは、例えば、電磁波（ミリ波）を送波し、対象物に反射した反射波を受波して対象物までの距離や対象物の移動を検知するように構成される。ただし、検知部１４がパッシブ型もしくはアクティブ型の人感センサを有する場合、受光素子１４０と比較器で構成される場合よりも製造費用が増加する可能性がある。しかしながら、第１制御部１３が検知部１４による人の検知結果に応じて点灯回路部１１を制御し、光源１０を点滅及び調光すれば、照明装置１の省エネルギ化を促進して照明制御システムの運用費用の削減を図ることができる。
【００３３】
さらに、検知部１４は、点灯回路部１１に電力を供給するための給電路に印加される電圧の変化を検知し、電圧の変化が所定の条件を満たした場合に前記検知信号を出力するように構成されてもよい。例えば、検知部１４は、点灯回路部１１の入力電圧を分圧する分圧抵抗と、分圧抵抗で分圧された電圧の絶対値を基準値と比較する比較器とを有することが好ましい。検知部１４は、例えば、点灯回路部１１の入力電圧を分圧した電圧の絶対値が基準値を下回ったとき（周囲の環境の変化を検知したとき）、ハイレベルの検知信号を出力するように構成されればよい。この場合、通常動作から周波数チャネル変更動作への切替は、スイッチ５の操作部５０が短時間（例えば、１秒以内）に２回操作されて照明装置１への給電がオンからオフ、オフからオンに切り替えられることで実行可能である。
【００３４】
ここで、検知部１４は、上述のように様々な構成で実現可能である。したがって、検知部１４から第１制御部１３への検知信号の受け渡しは、検知部１４の構成の違いに影響されないことが好ましい。そのため、検知部１４は、汎用の通信インタフェース（例えば、ＲＳ−２３２Ｃなどのシリアル通信インタフェース）を利用して第１制御部１３に検知信号を出力（伝送）することが好ましい。
【００３５】
上述のように照明制御システム６は、１つ又は複数の照明装置１と、照明装置１に対して電波を媒体とする無線信号を送信して照明装置１を制御する制御装置２とを有している。照明装置１は、光源１０と、光源１０を点灯する点灯回路部１１と、無線信号を受信して無線信号に含まれる指令を取得する無線受信部１２とを備えている。照明装置１は、無線受信部１２が取得する指令に応じて光源１０を点滅するように点灯回路部１１を制御する第１制御部１３と、周囲の環境の変化を検知したときに検知信号を出力する検知部１４とを備えている。無線受信部１２は、第１制御部１３が複数の周波数チャネルのなかから選択した１つの周波数チャネルの無線信号を受信するように構成されている。制御装置２は、指令を生成する第２制御部２１と、指令を含み、かつ、第２制御部２１が選択した１つの周波数チャネルの無線信号を送信する無線送信部２０とを備えている。第２制御部２１は、所定の条件が満たされた場合に、選択可能な複数の周波数チャネルのなかから１つの周波数チャネルを選択し、１つの周波数チャネルで無線送信部２０に無線信号を送信させる。第１制御部１３は、検知部１４が検知信号を出力した場合に周波数チャネル変更動作を行い、周波数チャネル変更動作の終了後に周波数チャネル変更動作によって変更した１つの周波数チャネルで無線受信部１２に無線信号を受信させる。周波数チャネル変更動作を行っているときの第１制御部１３は、選択可能な複数の周波数チャネルのなかから順番に選択した周波数チャネルで無線受信部１２に無線信号を受信させる。さらに、周波数チャネル変更動作を行っているときの第１制御部１３は、無線受信部１２が無線信号の受信に成功したときに選択している周波数チャネルを１つの周波数チャネルとして選択する。
【００３６】
照明制御システム６が上述のように構成されれば、検知部１４に周囲の環境の変化を検知させることで第１制御部１３に周波数チャネル変更動作を実行させて無線受信部１２の周波数チャネルを変更することができる。そのため、照明制御システム６は、無線通信で使用する周波数チャネルの変更作業の容易化を図ることができる。
【００３７】
また、照明制御システム６において、検知部１４は、レーザ光を受光する受光素子１４０を有することが好ましい。検知部１４は、受光素子１４０が所定の強度以上のレーザ光を受光したときに検知信号を出力することが好ましい。
【００３８】
照明制御システム６が上述のように構成されれば、市販のレーザポインタ７を用いて第１制御部１３を通常動作から周波数チャネル変更動作へ移行させることができるので、周波数チャネルの変更作業の更なる容易化を図ることができる。
【００３９】
さらに、照明制御システム６において、検知部１４は、所定の検知領域において人の存在を検知したときに検知信号を出力することが好ましい。
【００４０】
照明制御システム６が上述のように構成されれば、検知領域に人を進入させることで第１制御部１３を通常動作から周波数チャネル変更動作へ移行させることができるので、周波数チャネルの変更作業の更なる容易化を図ることができる。
【００４１】
また、照明制御システム６において、検知部１４は、点灯回路部１１に電力を供給するための給電路（電源線４）に印加される電圧（点灯回路部１１の入力電圧）の変化を検知し、電圧の変化が所定の条件を満たした場合に検知信号を出力することが好ましい。
【００４２】
照明制御システム６が上述のように構成されれば、例えば、照明装置１への給電を短時間のうちに入切することで第１制御部１３を通常動作から周波数チャネル変更動作へ移行させることができる。その結果、照明制御システム６は、周波数チャネルの変更作業の更なる容易化を図ることができる。
【００４３】
ところで、制御装置２は、図５に示すように、制御装置本体２Ａと、無線送信装置２Ｂとで構成されてもよい。制御装置本体２Ａは、第２制御部２１、第２記憶部２２、操作入力部２３、表示部２４を有している。一方、無線送信装置２Ｂは、第３制御部２９及び無線送信部２０を有している。制御装置本体２Ａの第２制御部２１と、無線送信装置２Ｂの第３制御部２９とが信号線３０によって電気的に接続されている。制御装置本体２Ａは、体育館やホールに設けられている管理室などに設置される。一方、無線送信装置２Ｂは、照明装置１が設置されている体育館やホールの壁又は天井（天井の梁など）に設置される。制御装置本体２Ａの第２制御部２１は、操作入力部２３から受け取る操作信号に応じた指令を信号線３０を介して第３制御部２９へ伝送する。無線送信装置２Ｂの第３制御部２９は、第２制御部２１から受け取る指令を含む送信フレームを生成して無線送信部２０に出力する。無線送信部２０は、第３制御部２９から与えられる指令や識別情報を含む送信フレームを変調し、変調後の送信フレームをアンテナから無線信号として送信する。
【００４４】
上述のように制御装置２が制御装置本体２Ａと、無線送信装置２Ｂとで構成されれば、制御装置本体２Ａを体育館やホールの管理室などに設置し、無線送信装置２Ｂを体育館やホールの壁又は天井に設置することができる。その結果、制御装置２の操作入力部２３がいたずらに操作されることを防ぐことができる。
【符号の説明】
【００４５】
１  照明装置
２  制御装置
４  電源線（給電路）
６  照明制御システム
１０  光源
１１  点灯回路部
１２  無線受信部
１３  第１制御部
１４  検知部
２０  無線送信部
２１  第２制御部
１４０  受光素子
【図１】
0006653448.tif 000002
【図２】
0006653448.tif 000003
【図３】
0006653448.tif 000004
【図４】
0006653448.tif 000005
【図５】
0006653448.tif 000006